【事件の表示】
　平成　９年特許願第１２２３０３号「打抜型の交換・収納装置およびこれを備えた平盤打抜機」拒絶査定不服審判事件〔平成１０年　３月１７日出願公開、特開平１０−　７１５９８〕について、次のとおり審決する。
【結　論】
　本件審判の請求は、成り立たない。
【理　由】
第１　手続の経緯
　本件出願は、特許法第４１条に基づく優先権主張を伴う平成９年５月１３日（優先日、平成８年５月１５日）の特許出願であって、同１８年５月１１日付けで拒絶の理由が通知され、その指定期間内の同１８年７月２４日に意見書とともに明細書について手続補正がされたが、同１８年８月１４日付けで拒絶をすべき旨の査定がされ、同１８年９月２１日に本件審判の請求がされ、その後、同１８年１０月１７日に明細書について再度手続補正（以下「本件補正」という。）がされたものである。
　
第２　本件補正についての補正却下の決定
［補正却下の決定の結論］
　本件補正を却下する。
　
［理由］
１　補正の内容の概要
　本件補正は、特許請求の範囲について補正をするとともにそれに関連して発明の詳細な説明の一部について補正をするものであって、特許請求の範囲の請求項１について補正前後の記載を補正箇所に下線を付して示すと以下のとおりである。
　
（１）補正前
「【請求項１】　平盤打抜機１に取付けられて、平盤打抜機１の型取付室２内に保持された打抜型８の交換および収納を行う交換・収納装置Ａであって、
　前記打抜型８を前記型取付室２への第１出入口９に対向させて保持して前記型取付室２へ水平方向にスライドさせる保持アーム４と、
　前記平盤打抜機の上部または下部に配置される型収納室３と、
　前記保持アーム４を、前記型取付室２の第１出入口９の位置と前記型収納室３の第２出入口１０の位置との間で昇降させる昇降装置７，６０とを備えた打抜型の交換・収納装置。」
　
（２）補正後
「【請求項１】　
板状の素材５０を、刃１１が設けられ型取付室２内に保持された打抜型８に押圧することにより所定の形状に打ち抜く平盤打抜機１に、前記
が取り付けられてなる平盤打抜システム
　
前記交換・収納装置Ａは、
平盤打抜システム
　
２　補正の適否　　　
　本件補正のうち特許請求の範囲の請求項１についてする補正は、平盤打抜機について「板状の素材５０を、刃１１が設けられ型取付室２内に保持された打抜型８に押圧することにより所定の形状に打ち抜く」という限定を付加すると共に、請求項１に係る発明全体についての表現を、平盤打抜機に取付けられる「打抜型８の交換および収納を行う交換・収納装置Ａ」から「平盤打抜機１に、前記打抜型８の交換および収納を行う交換・収納装置Ａが取り付けられてなる平盤打抜システム」と訂正することによって発明の内容を明らかにするものであり、特許請求の範囲の減縮と明りょうでない記載の釈明とを目的とすることが明らかである。
　そこで、補正後の特許請求の範囲の請求項１に係る発明（以下「本件補正発明」という。）が特許出願の際に独立して特許を受けることができるものであるか否かについて検討する。
　
（１）本件補正発明
　本件補正発明は、本件補正により補正された明細書及び願書に添付した図面の記載からみて、上記１（２）に示す特許請求の範囲の請求項１に記載された事項により特定されるとおりの「平盤打抜システム」であると認められる。
　
（２）引用例
　これに対して、原査定の拒絶の理由に引用された本件出願の優先日前に日本国内において頒布された刊行物である特開平４−３３３３２８号公報（以下「引用例」という。）の記載内容は以下のとおりである。
　
ア　引用例記載の事項
　引用例には、「パンチプレスに対する金型交換装置」に関して、図面とともに以下の事項が記載されている。
（ア）段落【０００１】
「【産業上の利用分野】この発明は、板状のワークに打抜き加工を行うパンチプレスに対して金型の交換を行う装置に関する。」
　
（イ）段落【０００６】〜【０００９】
「【実施例】図１，図２を参照するに、本実施例に係る金型交換装置１は、パンチプレス３に隣接して配置してある。理解を容易にするために、先ずパンチプレス３の全体的構成について説明する。
　本実施例に係るパンチプレス３は、Ｃ型のフレーム５を備えており、このフレーム５における下部フレーム５Ｌの先端部にはダイを支持するダイ支持部７が設けてある。また、フレーム５には、先端部が前記ダイ支持部７の上方位置に延伸した補助フレーム９が設けてあり、この補助フレーム９の先端部には、パンチを支持するパンチ支持部１１が設けてある。
　本実施例においては、上記パンチ支持部１１には複数のパンチＰを着脱交換可能に支持したパンチホルダ１３が着脱交換自在に支持されており、前記ダイ支持部７には、複数のダイＤを着脱交換可能に支持したダイホルダ１５が着脱交換自在に支持されている。なお、本実施例においては、パンチホルダ１３，ダイホルダ１５を着脱交換する場合について説明するけれども、パンチＰ，ダイＤをパンチ支持部１１，ダイ支持部７に対して直接着脱交換することも可能なものである。この場合、パンチ支持部１１，ダイ支持部７の構成を、パンチＰ，ダイＤを直接着脱交換可能な構成にするものである。
　前記フレーム５における上部フレーム５Ｕには、例えばクランク機構或は油圧シリンダ等のごとき適宜の駆動装置１７によって上下動されるラム１９が設けてあり、このラム１９の下部には、例えば流体圧シリンダのごとき適宜のアクチュエータ２１によって前記各パンチＰに対応した位置へ移動されて各パンチＰを打圧自在のストライカ２３が設けてある。」
　
（ウ）段落【００１１】〜【００１３】
「前記パンチホルダ１３は、図４に示されるように、適数のパンチＰを装着するパンチ装着孔２９を備えたブロック状をなしており、上面両側には、一端側より他端側が狭くなるフランジ部１３Ｆを備えている。さらに上記パンチホルダ１３の一端面には適宜形状の係止部３１が設けてあり、他端部にはＶ字形状の切欠き部３３が形成してある。なお、図示を省略するが、パンチホルダ１３には、パンチＰの抜止め防止用の抜止め防止具が設けられているものである。
　前記構成のごときパンチホルダ１３を着脱交換自在に支承するために、前記補助フレーム９のパンチ支持部１１には、図３に示すように、パンチホルダ１３が係脱自在な係合溝３５が形成してある。この係合溝３５には、フランジ部１３Ｆを案内する溝を構成するガイドプレート３７が上部に設けてあり、係合溝３５の奥部分には、前記切欠き部３３と係合してパンチホルダ１３の位置決めをするための位置決めピン３９が植設してある。
　さらに前記パンチ支持部１１には、係合溝３５にパンチホルダ１３を固定するために、例えば流体圧シリンダのごとき適宜のアクチュエータ４１によって作動されるロックアーム４３が設けてある。本実施例においては、上記ロックアーム４３は枢軸４５を介して回動自在に設けてあり、かつ前記アクチュエータ４１に連動連結してある。すなわち上記ロックアーム４３は、アクチュエータ４１の作動により、パンチホルダ１３の一端側を押圧して、パンチホルダ１３を係合溝３５に固定するものである。」
　
（エ）段落【００１５】〜【００３０】
「再び図１，図２を参照するに、前記金型交換装置１は、前記パンチ支持部１１，ダイ支持部７に対して着脱交換すべき多数のパンチホルダ１３，ダイホルダ１５を収納支持するパンチホルダ収納部４７およびダイホルダ収納部４９が設けられている。また、上記パンチホルダ収納部４７，ダイホルダ収納部４９からそれぞれパンチホルダ１３，ダイホルダ１５を取り外して、前記パンチ支持部１１，ダイ支持部７に対して着脱交換するためのパンチ交換装置５１，ダイ交換装置５３がそれぞれ設けられている。
　より詳細には、本実施例においては、前記パンチプレス３の前方（図１，図２においては左方）に、Ｘ軸方向に離隔したサイドフレーム５５Ｌ，５５Ｒが設けてあり、この両サイドフレーム５５Ｌ，５５Ｒの間に、前記パンチホルダ収納部４７，ダイホルダ収納部４９が設けてある。
　上記パンチホルダ収納部４７は、前記両サイドフレーム５５Ｌ，５５Ｒに両端部を回転自在に支承された水平な多角形状のパンチ支持ドラム５７よりなるものである。またダイホルダ収納部４９は上記パンチ支持ドラム５７と同様の多角形状のダイ支持ドラム５９よりなるものである。
　上記パンチ支持ドラム５７の外周面には、複数のパンチホルダ１３を収納支持する収納部５７Ａ，５７Ｂ，……が長手方向に区画してある。同様に、ダイ支持ドラム５９の外周面には、複数のダイホルダ１５を収納支持する収納部が長手方向に区画してある。
　上記パンチ支持ドラム５７とダイ支持ドラム５９は、それぞれの軸に取付けた各スプロケット６１，６３に掛回したタイミングベルト６５を介して、同期して同方向へ回転されるものである。上記パンチ支持ドラム５７，ダイ支持ドラム５９を回転するために、制御モータ６７が設けられており、ベルト６９を介して連動連結してある。
　前記パンチ支持ドラム５７の各収納部５７Ａ，５７Ｂ，……は、図４に示すように、前記パンチ支持部１１の構成とほぼ同様の構成である。すなわち、パンチホルダ１３が係脱自在な係合溝６９を備えると共に、フランジ部１３を案内する案内溝７１を備えている。さらに、上記係合溝６９の底部には、抜止め防止用の抜止め防止片７３が底部に対して出没自在に設けられている。
　上記抜止め防止片７３は、パンチホルダ１３の一端面を係止して、パンチホルダ１３が係合溝６９から抜け出ることを防止するもので、底部に設けた穴７５内に嵌入され、弾装したスプリング７７によって上部が突出するように付勢されている。
　したがって、上記抜止め防止片７３を底部に対して没入することにより、係合溝６９に対してパンチホルダ１３を着脱することができるものである。なお、ダイ支持ドラム５７においてダイホルダ１５を収納する収納部の構成は、上記収納部５７Ａ，５７Ｂ…と同様の構成であるので、詳細な説明は省略する。
　前期パンチ交換装置５１及びダイ交換装置５３は、前記パンチ支持ドラム５７，ダイ支持ドラム５９と平行に設けられ、かつ前記両サイドフレーム５５Ｌ，５５Ｒに両端部を支承された水平なガイドレール７９，８１に移動自在に支承されている。
　より詳細には、前記ガイドレール７９にはパンチキャリッジ８３が移動自在に支持されており、このパンチキャリッジ８３には、パンチキャリッジ８３に装着したモータ８５によって回転される回転盤８７が支承されている。また、パンチキャリッジ８３には、ガイドレール７９に沿って移動するために、上記ガイドレール７９に備えたラック８９に噛合したピニオン９１を備えたサーボモータ９３か装着してある。
　上記構成により、サーボモータ９３を適宜に制御することによりパンチキャリッジ８３をガイドレール７９に沿って移動することができ、このパンチキャリッジ８３を前記パンチ支持部およびパンチ支持ドラム５７の各収納部５７Ａ，５７Ｂ，…に対応した位置へ移動し位置決めすることができるものである。
　前記回転盤８７には、例えば油圧シリンダのごとき適宜の上下作動装置９５が装着してあり、この上下作動装置９５において上下動するピストンロッドのごとき上下作動体９９（当審注：「９９」は、「９７」の誤記である。）の下端部には、前記パンチ支持部１１あるいはパンチ支持ドラム５７の収納部５７Ａ，５７Ｂ，…に対してパンチルダ１３の着脱交換を行なうホルダ押引装置９９を備えたホルダ支持プレート１０１が取付けてある。なお、本実施例においては、第１，第２のホルダ押引装置９９Ａ，９９Ｂが並列に設けてある。
　上記ホルダ押引装置９９は、図３に示されるように、本実施例においては流体シリンダ１０３よりなるものであり、このシリンダ１０３内に摺動自在に設けたピストンロッド１０４の先端部には、パンチホルダ１３における前記係止部３１を把持自在の一対のクランプジョー１０５が設けてある。
　上記各クランプジョー１０５は、ピン１０７を介して回動自在に設けてあり、かつスプリング１０９によって先端部を互いに開くように付勢してある。そして、上記各クランプジョー１０５によって前記係止部３１を把持するために、ピストンロッド１０４の先端部には、小ピストン１１１が往復動自在に設けてあり、そのピストンロッド１１３の先端部には、前記各クランプジョー１０５の基部間へ割込み自在の楔部１１５が設けてある。
　上記構成により、パイプ１１７から作動流体をシリンダ１１９に供給すると、スプリング１２１に抗してピストン１１１が図３において右方向へ移動され、楔部１１５が各クランプジョー１０５の基部間に割込むので、各クランプジョー１０５の先端部でもってパンチホルダ１３の係止部３１を把持することとなる。
したがって、図３において、ロックアーム４３によるパンチホルダ１３の固定を解除した後に、シリンダ１０３のポートＰ１から作動流体を供給することにより、パンチ支持部１１からホルダ支持プレート１０１上にパンチホルダ１３を引出すことができるものである。逆に、ポートＰ２からシリンダ１０３に作動流体を供給することにより、ホルダ支持プレート１０１上からパンチ支持部１１へパンチホルダ１３を押出し得ることが理解されよう。」
　
（オ）段落【００３３】〜【００４１】
「以上のごとき構成において、パンチプレス３のパンチ支持部１１，ダイ支持部７に対してパンチホルダ１３，ダイホルダ１５の交換を行なうには、先ず、制御モータ６７を駆動し、パンチ支持ドラム５７，ダイ支持ドラム５９を回転して、交換すべきパンチホルダ１３，ダイホルダ１５を上部に割出す。
　次に、パンチ交換装置５１，ダイ交換装置５３をガイドレール７９，８１に沿って移動せしめて、交換すべきパンチホルダ１３，ダイホルダ１５が収納されている収納部５７Ａ，５７Ｂ，…に対応せしめる。また、上下作動装置９５，１２７の作動により、上下の各ホルダ支持プレート１０１，１３１を上下動して、パンチ支持ドラム５７，ダイ支持ドラム５９の上面に対応する高さに位置決めすると共に、回転盤５７，１２５を回転して、図１に示された状態から１８０°反転する。
　以上のごとき状態において、上下の第１のホルダ押引装置９９Ａ，１３３Ａをンチ支持ドラム５７，ダイ支持ドラム５９の収納部５７Ａ，５７Ｂ，…から各ホ作動し、パンチ支持ドラム５７上のパンチホルダ１３およびダイ支持ドラム５９上のダイホルダ１５の各係止部３１を各クランプジョー１０５でもって把持する。
　なお、ホルダ押引装置９９Ａ，１３３Ａのピストンロッド１０４がパンチホルダ１３，ダイホルダ１５を把持すべくパンチ支持ドラム５７，ダイ支持ドラム５９方向へ突出作動されると、対応した位置の抜止め防止片７３が前記ピストンロッド１０４によって没入されるので、各パンチホルダ１３，ダイホルダ１５をパルダ支持プレート１０１，１３１上に引出すことができるものである。
　上述のごとく、第１のホルダ押引装置９９Ａ，１３３Ａによって交換すべきパンチホルダ１３，ダイホルダ１５を、パンチ支持ドラム５７，ダイ支持ドラム５９からホルダ支持プレート１０１，１３１上に引出して後、上記各ホルダ支持プレート１０１，１３１を図１に示す状態に再び反転すると共に、パンチキャリッジ８３，ダイキャリッジ１２３をガイドレール７９，８１にって移動し、パンチプレス３のパンチ支持部１１，ダイ支持部７に対応する位置へ位置決めする。
　そして、各ホルダ支持プレート１０１，１３１をパンチプレス３におけるパンチ支持部１１，ダイ支持部７に対応した高さ位置に位置決めすると共に、第２のホルダ押引装置９９Ｂ，１３３Ｂ（符号１３３Ｂは図示省略）を上記パンチ支持部１１，ダイ支持部７に対応せしめる。
　そして、上記第２のホルダ押引装置９９Ｂ，１３３Ｂによってパンチ支持部１１のパンチホルダ１３およびダイ支持部７のダイホルダ１５をホルダ支持プレート１０１，１３１上に引出す。
　次に、パンチキャリッジ８３，ダイキャリッジ１２３を僅か量移動せしめて、第１のホルダ押引装置９９Ａ，１３３Ａによって予めホルダ支持プレート１０１，１３１上に引出されていた交換すべきパンチホルダ１３，ダイホルダ１５をパンチ支持部１１，ダイ支持部７に対応せしめる。そして、第１のホルダ押引装置９９Ａ，１３３Ａの作動により、交換すべきパンチホルダ１３，ダイホルダ１５をパンチ支持部１１，ダイ支持部７へ押し出すことにより、パンチホルダ１３，ダイホルダ１５の交換が行なわれることとなる。
　なお、第２のホルダ押引装置９９Ｂ，１３３Ｂによってホルダ支持プレート１０１，１３１上に引出されたパンチホルダ１３，ダイホルタ１５は、それぞれパンチ支持ドラム５７，ダイ支持ドラム５９の空の収納部５７Ａ，５７Ｂ，…に収納されるものである。」
　
（カ）段落【００４２】〜【００４３】
「図６，図７は第２実施例を示すもので、この実施例はパンチプレス３におけるフレーム５の上部フレーム５Ｕとサイドフレーム５５Ｌ，５５Ｒとの間にパンチ支持ドラム５７を配置し、下部フレーム５Ｌとサイドフレーム５５Ｌ，５５Ｒとの間にダイ支持ドラム５９を配置した例を概略的に示したものである。
　この実施例によれば、ホルダ支持プレート１０１，１３１を水平に回動反転する必要がないので、回転盤８７，１２５等を省略することができ、構成をより簡素化できるものである。」
　
イ　引用発明
　引用例記載の事項を、特に、図６，図７に示される実施例におけるパンチホルダ１３の交換・収納に着目して、本件補正発明に照らして整理すると、引用例には次の発明（以下「引用発明１」という。）が記載されていると認められる。
「板状のワークを、パンチ支持部１１に支持されたパンチホルダ１３のパンチＰを打圧することにより所定の形状に打ち抜くパンチプレス３に、前記パンチホルダ１３の交換および収納を行う金型交換装置１が取り付けられてなるパンチプレスに対する金型交換装置であって、
　前記金型交換装置１は、前記パンチホルダ１３を前記パンチ支持部１１への出入口に対向させて保持して前記パンチ支持部１１へ水平方向にスライドさせるホルダ支持プレート１０１と、前記パンチプレス３におけるフレーム５の上部フレーム５Ｕとサイドフレーム５５Ｌ，５５Ｒとの間に配置される、パンチホルダ１３を収納支持する収納部５７Ａ，５７Ｂ，……を有するパンチ支持ドラム５７と、前記ホルダ支持プレート１０１を、前記パンチ支持部１１の出入口の位置と前記パンチ支持ドラム５７に設けられたパンチホルダ１３の収納部５７Ａ，５７Ｂ，……の出入口の位置との間で昇降させる上下作動体９７を有する上下作動装置９５とを備えたパンチプレスに対する金型交換装置。」
　
（３）対比
　本件補正発明と引用発明１とを対比すると以下のとおりである。
　引用発明１の「板状のワーク」は、本件補正発明の「板状の素材５０」に相当する。
　引用発明１の「パンチホルダ１３」は、板状の素材を所定の形状に打ち抜く打抜工具であるという限りで、本件補正発明の刃１１が設けられた「打抜型８」と共通しており、また、引用発明１の「パンチ支持部１１」は、打抜工具を取り付ける工具取付室であるという限りで、本件補正発明の「型取付室２」と共通しており、さらに、引用発明１の「パンチプレス３」は、打抜機であるという限りで、本件補正発明の「平盤打抜機１」と共通している。
　引用発明１の「パンチ支持ドラム５７に設けられたパンチホルダ１３の収納部５７Ａ，５７Ｂ，……」は、 打抜工具を収納する工具収納室であるということができるものであり、打抜機に配置される工具収納室であるという限りで、本件補正発明の「型収納室３」と共通している。
　そして、引用発明１の「パンチ支持部１１への出入口」及び「収納部５７Ａ，５７Ｂ，……の出入口」は、それぞれ「工具取付室への第１出入口」及び「工具収納室の第２出入口」という限りで本件補正発明の「型取付室２の第１出入口９」及び「型収納室３の第２出入口１０」と共通している。
　また、引用発明１の「金型交換装置１」、「ホルダ支持プレート１０１」及び「上下作動体９７を有する上下作動装置９５」は、用語としては、それぞれ「交換・収納装置」、「保持アーム」及び「昇降装置」と言い換えることができるものである。
　さらに、引用発明１は「パンチプレス３に、前記パンチホルダ１３の交換および収納を行う金型交換装置１が取り付けられてなるパンチプレスに対する金型交換装置」として表現されているが、打抜機に、打抜工具の交換および収納を行う交換・収納装置が取り付けられてなる打抜システムとしても表現できるものであり、その限りで、本件補正発明の「平盤打抜システム」と共通している。
　したがって、本件補正発明と引用発明１とは、以下の一致点と相違点とを有しているということができる。
［一致点］
「板状の素材を、工具取付室内に保持された打抜工具により所定の形状に打ち抜く打抜機に、前記打抜工具の交換および収納を行う交換・収納装置が取り付けられてなる打抜システムであって、
　前記交換・収納装置は、前記打抜工具を前記工具取付室への第１出入口に対向させて保持して前記工具取付室へ水平方向にスライドさせる保持アームと、前記打抜機に配置される工具収納室と、前記保持アームを、前記工具取付室の第１出入口の位置と前記工具収納部室の第２出入口の位置との間で昇降させる昇降装置とを備えた打抜システム。」である点。
［相違点１］
　本件補正発明は、板状の素材５０を、刃１１が設けられ型取付室２内に保持された打抜型８に押圧することにより所定の形状に打ち抜く平盤打抜機１に、前記打抜型８の交換および収納を行う交換・収納装置Ａが取り付けられてなる平盤打抜システムであるのに対して、引用発明１は、板状の素材を、取付室内に保持されたパンチホルダーのパンチを打圧することにより所定の形状に打ち抜くパンチプレスに、前記パンチホルダーの交換および収納を行う交換・収納装置が取り付けられてなる打抜システムである点。
［相違点２］
　本件補正発明では、型収納室３が平盤打抜機１の上部または下部に配置されるのに対して、引用発明１では、パンチホルダ１３の収納部５７Ａ，５７Ｂ，……はパンチプレス３におけるフレーム５の上部フレーム５Ｕとサイドフレーム５５Ｌ，５５Ｒとの間に配置される点。
　
（４）相違点についての検討
ア　相違点１について
　板状の素材を、刃が設けられ型取付室内に保持された打抜型に押圧することにより所定の形状に打ち抜く平盤打抜機自体は、例えば、実願平５−１６３１３号（実開平６−７１０９８号）のＣＤ−ＲＯＭに記載されているように従来周知であり、引用発明１を、この従来周知の平盤打抜機に適用して、本件補正発明のように構成することに格別の困難性はない。
　
イ　相違点２について
　引用発明１において、工具収納室を有するパンチ支持ドラム５７は、パンチプレス３におけるフレーム５の上部フレーム５Ｕとサイドフレーム５５Ｌ，５５Ｒとの間に配置されている。そして、引用例の図６の記載からみて、パンチ支持ドラム５７はパンチホルダ１３が交換可能に支持されるパンチ支持部よりも上方に設けられており、パンチホルダ１３は該ドラムの上面に割り出された収納部から交換されることが明らかであるから、交換されるパンチホルダ１３の収納部は、パンチプレス３の上部に配置されているということができる。
　したがって、引用発明１においても、工具収納室は打抜機の上部に配置されていることになり、上記相違点２は実質的な相違点ではない。
　また、たとえ引用発明１における工具収納室が打抜機の上部に配置されているということができなかったとしても、工具収納室を装置のどの部位に配置するかは装置全体の構成等を考慮して当業者が適宜設定すべき事項であり、打抜機の上部に配置することに格別の困難性はない。
　
　そして、本件補正発明によってもたらされる効果も、引用発明１及び上記従来周知の平盤打抜機から当業者であれば予測できる範囲内のものであって格別顕著なものとはいえない。
　
　したがって、本件補正発明は、引用発明１及び従来周知の平盤打抜機に基づいて当業者が容易に発明をすることができたものであるから、特許法第２９条第２項の規定により特許出願の際独立して特許を受けることができないものである。
　
３　むすび
　以上のとおり、本件補正は、平成１８年法律第５５号による改正前の特許法第１７条の２第５項において準用する特許法第１２６条第５項の規定に違反するものであるから、上記改正前の特許法第１５９条第１項の規定において読み替えて準用する同法第５３条第１項の規定により却下すべきものである。       
　
第３　本願発明について
１　本願発明
　本件補正は、上記のとおり却下されたので、本件出願の請求項１乃至９に係る発明は、平成１８年７月２４日付け手続補正書により補正された明細書及び願書に添付した図面の記載からみて、その特許請求の範囲の請求項１乃至９に記載された事項により特定されるとおりのものであると認められるところ、請求項１に係る発明（以下「本願発明」という。）は、上記第２の１（１）に示す特許請求の範囲の請求項１に記載されたとおりの「打抜型の交換・収納装置」である。
　
２　引用例
　これに対して、原査定の拒絶の理由に引用された刊行物及びその記載内容は、下記の引用発明２の認定に関する点を除いて上記第２の２（２）に示したとおりである。
　引用例記載の事項を本願発明に照らして整理すると引用例には次の発明（以下「引用発明２」という。）が記載されていると認められる。
「パンチプレス３に取付けられて、パンチプレス３のパンチ支持部１１に支持されたパンチホルダ１３の交換および収納を行うパンチプレスに対する金型交換装置であって、
　前記パンチホルダ１３を前記パンチ支持部１１への出入口に対向させて保持して前記パンチ支持部１１へ水平方向にスライドさせるホルダ支持プレート１０１と、
　前記パンチプレス３におけるフレーム５の上部フレーム５Ｕとサイドフレーム５５Ｌ，５５Ｒとの間に配置される、パンチホルダ１３を収納支持する収納部５７Ａ，５７Ｂ，……を有するパンチ支持ドラム５７と、
　前記ホルダ支持プレート１０１を、前記パンチ支持部１１の出入口の位置と前記パンチ支持ドラム５７に設けられたパンチホルダ１３の収納部５７Ａ，５７Ｂ，……の出入口の位置との間で昇降させる上下作動体９７を有する上下作動装置９５とを備えたパンチプレスに対する金型交換装置。」
　
３　対比
　本願発明と引用発明２とを、上記第２の２（３）で検討した事項を考慮に入れて対比すると、両者は、以下の一致点と相違点とを有しているということができる。
［一致点］
「打抜機に取付けられて、打抜機の工具取付室内に保持された打抜工具の交換および収納を行う交換・収納装置であって、
　前記打抜工具を前記工具取付室への第１出入口に対向させて保持して前記工具取付室へ水平方向にスライドさせる保持アームと、
　前記打抜機に配置される工具収納室と、
　前記保持アームを、前記工具取付室の第１出入口の位置と前記工具収納室の第２出入口の位置との間で昇降させる昇降装置とを備えた打抜工具の交換・収納装置。」である点。
［相違点３］
　交換・収納装置の取付けられる打抜機が、本願発明では、打抜型８を打抜工具とする平盤打抜機であるのに対して、引用発明２では、パンチホルダを打抜工具とするパンチプレスである点。
［相違点４］
　本願発明では、型収納室３が平盤打抜機の上部または下部に配置されるのに対して、引用発明２では、パンチホルダ１３の収納部５７Ａ，５７Ｂ，……はパンチプレス３におけるフレーム５の上部フレーム５Ｕとサイドフレーム５５Ｌ，５５Ｒとの間に配置される点。
　
４　相違点についての検討
　上記相違点３及び相違点４は、実質的に相違点１及び相違点２と同じものである。
　そして、相違点１及び相違点２についての判断は、上記第２の２（４）で検討したとおりである。
　また、本願発明によってもたらされる効果も、引用発明２及び上記従来周知の平盤打抜機から当業者であれば予測できる範囲内のものであって格別顕著なものとはいえない。
　したがって、本願発明は、引用発明２及び従来周知の平盤打抜機に基づいて当業者が容易に発明をすることができたものである。
　
５　むすび
　以上のとおりであるから、本願発明は、特許法第２９条第２項の規定により特許を受けることができない。
　したがって、本件出願のその余の請求項に係る発明について検討するまでもなく、本件出願は拒絶されるべきものである。
　よって、結論のとおり審決する。